(57)【要約】【課題】調理家電に室温の空気を供給し、調理家電が過度に熱くなるのを抑えた、キッチンの壁面に備え付けられ、レンジ、オーブンなどの調理家電が組み込まれた壁面調理家電収納装置を提供すること。【解決手段】壁面２に備え付けられ、調理家電３が組み込まれた壁面調理家電収納装置１であって、調理家電に連通し、空気を調理家電に供給する吸気部６が、調理家電の上方にまたは調理家電の下方もしくは側方の調理家電から離れた位置から配設される。【選択図】図１
2007259910.tif 000002
【特許請求の範囲】
【請求項１】
壁面に備え付けられ、調理家電が組み込まれた壁面調理家電収納装置であって、調理家電に連通し、空気を調理家電に供給する吸気部が、調理家電の上方にまたは調理家電の下方もしくは側方の調理家電から離れた位置から配設されていることを特徴とする壁面調理家電収納装置。
【請求項２】
吸気部が、調理家電の上方に設けられた上部ユニットと調理家電との間に配設されている請求項１記載の壁面調理家電収納装置。
【請求項３】
吸気部が、調理家電の下方に位置する蹴込み部から配設され、調理家電の下方に設けられた下部ユニットの裏側を回って調理家電に連通している請求項１記載の壁面調理家電収納装置。
【請求項４】
調理家電の下方に設けられた第１の下部ユニットに隣接して設けられた第２の下部ユニットの下方に位置する蹴込み部から吸気部が配設され、吸気部は、第２の下部ユニットおよび第１の下部ユニットの裏側を回って調理家電に連通している請求項１記載の壁面調理家電収納装置。
【請求項５】
吸気部が、壁面調理家電収納装置の上方に配置され、壁面調理家電収納装置の側面において室内と連通している請求項１記載の壁面調理家電収納装置。
【発明の詳細な説明】
【技術分野】
【０００１】
本願発明は、キッチンの壁面に備え付けられ、レンジ、オーブンなどの調理家電が組み込まれた壁面調理家電収納装置に関する。
【背景技術】
【０００２】
従来、キッチンに設置される、食器、調理具、調味料や備品などの物品を収納可能とした収納装置として、キッチンの壁面に備え付けられる壁面収納装置が提供されてきている。
【０００３】
一方、キッチンに設置される収納装置には、レンジ、オーブンなどの調理家電が組み込まれるものが知られている（たとえば、特許文献１参照）。収納装置の、前面のみ開放された部分にレンジ、オーブンなどの調理家電が、いわゆるビルト・イン式に組み込まれる。
【特許文献１】特開２００２−２５７３５４号公報
【発明の開示】
【発明が解決しようとする課題】
【０００４】
しかしながら、レンジ、オーブンなどの調理家電が組み込まれた収納装置では、一般に、調理家電に空気を供給する吸気部が調理家電の直下に配設されているため、吸気部より吸い込む空気は調理家電により温められ、温められた空気が調理家電に供給される。その結果、調理家電は過度に熱くなりやすい。調理家電が過度に熱くなると、調理家電の故障や収納装置の駆体の熱的変形などの弊害が生じる。
【０００５】
本願発明は、このような事情に鑑みてなされたものであり、調理家電に室温の空気を供給し、調理家電が過度に熱くなるのを抑えた、キッチンの壁面に備え付けられ、レンジ、オーブンなどの調理家電が組み込まれた壁面調理家電収納装置を提供することを課題としている。
【課題を解決するための手段】
【０００６】
本願発明は、上記の課題を解決するために、第１に、壁面に備え付けられ、調理家電が組み込まれた壁面調理家電収納装置であって、調理家電に連通し、空気を調理家電に供給する吸気部が、調理家電の上方にまたは調理家電の下方もしくは側方の調理家電から離れた位置から配設されていることを特徴としている。
【０００７】
本願発明は、第２に、吸気部が、調理家電の上方に設けられた上部ユニットと調理家電との間に配設されていることを特徴としている。
【０００８】
本願発明は、第３に、吸気部が、調理家電の下方に位置する蹴込み部から配設され、調理家電の下方に設けられた下部ユニットの裏側を回って調理家電に連通していることを特徴としている。
【０００９】
本願発明は、第４に、調理家電の下方に設けられた第１の下部ユニットに隣接して設けられた第２の下部ユニットの下方に位置する蹴込み部から吸気部が配設され、吸気部は、第２の下部ユニットおよび第１の下部ユニットの裏側を回って調理家電に連通していることを特徴としている。
【００１０】
本願発明は、第５に、吸気部が、壁面調理家電収納装置の上方に配置され、壁面調理家電収納装置の側面において室内と連通している。
【発明の効果】
【００１１】
本願の第１の発明によれば、調理家電に連通し、空気を調理家電に供給する吸気部が、調理家電の上方にまたは調理家電の下方もしくは側方の調理家電から離れた位置から配設されているため、調理家電に室温の空気を供給することができ、調理家電が過度に熱くなるのを抑えることができる。また、吸気部の配設形態がバリエーションに富んだものとなり、壁面調理家電収納装置の多様な形態に対して吸気部を配設することができる。
【００１２】
本願の第２の発明によれば、吸気部が、調理家電の上方に設けられた上部ユニットと調理家電との間に配設されているため、簡便に室温の空気を調理家電に供給することができる。
【００１３】
本願の第３の発明によれば、吸気部が、調理家電の下方に位置する蹴込み部から配設され、調理家電の下方に設けられた下部ユニットの裏側を回って調理家電に連通しているため、室温の空気の供給をより確実に、また、下部ユニットのスペースを十分確保して行うことができる。
【００１４】
本願の第４の発明によれば、調理家電の下方に設けられた第１の下部ユニットに隣接して設けられた第２の下部ユニットの下方に位置する蹴込み部から吸気部が配設され、吸気部は、第２の下部ユニットおよび第１の下部ユニットの裏側を回って調理家電に連通しているため、室温の空気の供給をさらに確実に行うことができる。また、室温の空気の供給は、第１および第２の下部ユニットのスペースを十分確保して行うことができる。
【００１５】
本願の第５の発明によれば、吸気部が、壁面調理家電収納装置の上方に配置されている場合、吸気部を壁面調理家電収納装置の側面において室内に連通させることにより、室温の空気の供給を壁面調理家電収納装置の側面から行うことができる。
【発明を実施するための最良の形態】
【００１６】
図１（ａ）（ｂ）は、それぞれ、本願発明の壁面調理家電収納装置の一実施形態を概略的に示した正面図、側断面図である。
【００１７】
壁面調理家電収納装置１は、キッチンの壁面２に備え付けられる据え置きタイプの収納装置である。この壁面調理家電収納装置１には、レンジ、オーブンなどの調理家電３が、いわゆるビルト・イン式に組み込まれている。また、調理家電３の上方に上部ユニット４が、下方に下部ユニット５が設けられている。
【００１８】
上部ユニット４および下部ユニット５は、たとえば、前面が開放された箱状であり、内部に収納スペースが形成された、食器、調理具、調味料や備品などを収納する収納ユニットとすることができる。この場合、前面には、開き戸を設け、開き戸の回動により収納ユニットの開閉を行うことができる。また、収納スペースは、収納する物品の大きさに合わせて棚によって上下に仕切ることができる。さらに、収納スペースには引き出しを設けることもできる。
【００１９】
図１（ａ）（ｂ）に示した壁面調理家電収納装置１では、上部ユニット４と調理家電３との間に吸気部６が配設されている。吸気部６は、壁面調理家電収納装置１の前面から後方に向かって水平にのび、背面側で下方に向かい、調理家電３に連通している。キッチン内の空気を前面から取り込み、調理家電３に供給可能となっている。このように、調理家電３の上方に設けられた上部ユニット４と調理家電３との間に吸気部６が配設されているため、吸気部６より吸い込まれる空気は室温の空気であり、調理家電３によって温められることはない。したがって、調理家電３が過度に熱くなるのを抑えることができる。また、吸気部６の構造は、上記の通りの簡易なものであり、室温の空気を簡便に調理家電３に供給することができる。
【００２０】
調理家電３において発生する水蒸気などは、調理家電３の上端部に設けられた排気部７を通じて壁面調理家電収納装置１の前面よりキッチンに排気することができる。
【００２１】
図２（ａ）（ｂ）は、それぞれ、本願発明の壁面調理家電収納装置の一実施形態を概略的に示した正面図、側断面図である。
【００２２】
図２（ａ）（ｂ）に示した壁面調理家電収納装置１も、キッチンの壁面２に備え付けられる据え置きタイプの収納装置であり、レンジ、オーブンなどの調理家電３が、いわゆるビルト・イン式に組み込まれている。調理家電３の上方には上部ユニット４が、下方には下部ユニット５が設けられている。これら上部ユニット４および下部ユニット５は、図１（ａ）（ｂ）に示した壁面調理家電収納装置１と同様に、収納ユニットなどとすることができる。
【００２３】
図２（ａ）（ｂ）に示した壁面調理家電収納装置１では、吸気部６が、調理家電３の下方に位置する蹴込み部８から配設されている。蹴込み部８には、フロアストッカーと呼ばれる物品収納用の引き出しが設けられることがあるが、この場合、その引き出しに吸気部６を併設することができる。吸気部６は、壁面調理家電収納装置１の前面から後方に向かって水平にのび、背面側で上方に向かい、下部ユニット５の裏側を回って調理家電３に連通している。キッチン内の空気を前面から取り込み、調理家電３に供給可能となっている。このように、吸気部６は、調理家電３の下方に位置する蹴込み部８から配設され、調理家電３の下方に設けられた下部ユニット５の裏側を回って調理家電３に連通しているため、調理家電３から離れたところから室内の空気を取り込むことができ、室温の空気の供給をより確実に行うことができる。調理家電３に供給される空気は調理家電３によって温められることはなく、調理家電３が過度に熱くなるのを抑えることができる。また、室温の空気の供給は、下部ユニット５のスペースを十分確保して行うことができる。下部ユニット５が収納ユニットである場合、収納量は十分確保される。壁面調理家電収納装置１に配管スペースが設けられる場合には、この配管スペースを利用して吸気部６を下部ユニット５の裏側に回し、調理家電３に連通させることができる。
【００２４】
なお、調理家電３において発生する水蒸気などは、調理家電３の上端部に設けられた排気部７を通じて壁面調理家電収納装置１の前面よりキッチンに排気することができる。
【００２５】
図３、図４は、それぞれ、本願発明の壁面調理家電収納装置の一実施形態を概略的に示した斜視図、図３図中のＡ−Ａ断面図である。
【００２６】
図３および図４に示した壁面調理家電収納装置１も、キッチンの壁面２に備え付けられる据え置きタイプの収納装置であり、レンジ、オーブンなどの調理家電３が、いわゆるビルト・イン式に組み込まれている。調理家電３の上方には上部ユニット４が、下方には第１の下部ユニット９ａが設けられている。第１の下部ユニット９ａに隣接して第２の下部ユニット９ｂが配設され、第２の下部ユニット９ｂの側方に第３、第４および第５の下部ユニット９ｃ、９ｄ、９ｅが連設されている。上部ユニット４および第１〜第５の下部ユニット９ａ〜９ｅは、図１（ａ）（ｂ）および図２（ａ）（ｂ）に示した壁面調理家電収納装置１と同様に、収納ユニットなどとすることができる。
【００２７】
横一列に連設された第２〜第５の下部ユニット９ｂ〜９ｅの上端には、天板を形成するカウンター１０が配設されている。カウンター１０には、シンク１１および調理器具１２が取り付けられている。
【００２８】
図３および図４に示した壁面調理家電収納装置１では、吸気部６が、調理家電３の下方に設けられた第１の下部ユニット９ａに隣接して設けられた第２の下部ユニット９ｂの下方に位置する蹴込み部８から配設されている。蹴込み部８には、フロアストッカーと呼ばれる物品収納用の引き出しが設けられることがあるが、この場合、その引き出しに吸気部６を併設することができる。吸気部６は、壁面調理家電収納装置１の前面から後方に向かって水平にのび、背面側で上方に向かい、第２の下部ユニット９ｂおよび第１の下部ユニット９ａの裏側を回って調理家電３に連通している。キッチン内の空気を前面から取り込み、調理家電３に供給可能となっている。このように、吸気部６は、調理家電３の下方に設けられた第１の下部ユニット９ａに隣接して設けられた第２の下部ユニット９ｂの下方に位置する蹴込み部８から配設され、第２の下部ユニット９ｂおよび第１の下部ユニット９ａの裏側を回って調理家電３に連通しているため、調理家電３からより離れたところから室内の空気を取り込むことができ、室温の空気の供給をさらに確実に行うことができる。調理家電３に供給される空気は調理家電３によって温められることはなく、調理家電３が過度に熱くなるのを抑えることができる。また、室温の空気の供給は、第１および第２の下部ユニット９ａ、９ｂのスペースを十分確保して行うことができる。第１および第２の下部ユニット９ａ、９ｂが収納ユニットである場合、収納量は十分確保される。壁面調理家電収納装置１に配管スペースが設けられる場合には、この配管スペースを利用して吸気部６を第１および第２の下部ユニット９ａ、９ｂの裏側に回し、調理家電３に連通させることができる。
【００２９】
なお、調理家電３において発生する水蒸気などは、調理家電３の上端部に設けられた排気部７を通じて壁面調理家電収納装置１の前面よりキッチンに排気することができる。
【００３０】
図５は、本願発明の壁面調理家電収納装置の一実施形態を示した斜視図である。
【００３１】
図５に示した壁面調理家電収納装置１も、キッチンの壁面に備え付けられる据え置きタイプの収納装置であり、レンジ、オーブンなどの調理家電３が、いわゆるビルト・イン式に組み込まれている。また、図３および図４に示した壁面調理家電収納装置１と同様に、調理家電３の上方には上部ユニット４が、下方には第１の下部ユニット９ａが設けられている。そして、第１の下部ユニット９ａに隣接して第２の下部ユニット９ｂが配設され、第２の下部ユニット９ｂの側方に第３、第４および第５の下部ユニット９ｃ、９ｄ、９ｅが連設されている。上部ユニット４および第１〜第５の下部ユニット９ａ〜９ｅは、図１（ａ）（ｂ）および図２（ａ）（ｂ）に示した壁面調理家電収納装置１と同様に、収納ユニットなどとすることができる。
【００３２】
横一列に連設された第２〜第５の下部ユニット９ｂ〜９ｅの上端には、天板を形成するカウンター１０が配設されている。カウンター１０には、シンク１１および調理器具１２が取り付けられている。
【００３３】
図５に示した壁面調理家電収納装置１では、吸気部６が、調理家電３の上方に配置され、壁面調理家電収納装置１の側面１３においてキッチンに連通している。したがって、室温の空気を壁面調理家電収納装置１の側面１３から取り込み、調理家電３に供給することができる。このように、本願発明の壁面調理家電収納装置では、室温の空気の供給を必ずしも前面からではなく側面からも行うことができる。室温の空気は、壁面調理家電収納装置１の側面１３から調理家電３に供給され、調理家電３が過度に熱くなるのを抑制する。吸気部６は、図２（ａ）（ｂ）に例示されるような調理家電３の下方の調理家電３から離れた位置においても壁面調理家電収納装置１の側面１３に臨ませることができる。
【００３４】
なお、調理家電３において発生する水蒸気などは、吸気部６が、壁面調理家電収納装置１の側面１３においてキッチンに連通する場合にも、調理家電３の上端部に設けられた排気部７を通じて壁面調理家電収納装置１の前面よりキッチンに排気することができる。
【００３５】
図６、図７は、それぞれ、本願発明の壁面調理家電収納装置の一実施形態を示した斜視図、側面図である。
【００３６】
図６および図７に示したキッチンの壁面２に備え付けられる壁面調理家電収納装置１では、下部ユニット５が横一列に連設され、その上に調理家電３および側部ユニット１４が載置され、下部ユニット５によって支持されている。吸気部６は、壁面調理家電収納装置１の側面１３においてキッチンに連通し、調理家電３の側方に配設された側部ユニット１４の裏側を通って水平方向にのび、調理家電３に連通している。したがって、室温の空気を調理家電３の側方の調理家電３から離れた位置から取り込み、調理家電３に供給することができる。調理家電３が過度に熱くなるのが抑制される。また、吸気部６は、側部ユニット１４の裏側に通すことができるため、側部ユニット１４のスペースは十分確保される。側部ユニット１４が収納ユニットである場合、収納量は十分確保される。
【００３７】
以上例示したように、本願発明の壁面調理家電収納装置では、吸気部６の配設形態がバリエーションに富んだものであり、壁面調理家電収納装置１の多様な形態に対して吸気部６を配設することができ、室温の空気を調理家電３に供給することができる。
【図面の簡単な説明】
【００３８】
【図１】（ａ）（ｂ）は、それぞれ、本願発明の壁面調理家電収納装置の一実施形態を概略的に示した正面図、側断面図である。
【図２】（ａ）（ｂ）は、それぞれ、本願発明の壁面調理家電収納装置の一実施形態を概略的に示した正面図、側断面図である。
【図３】本願発明の壁面調理家電収納装置の一実施形態を概略的に示した斜視図である。
【図４】図３に示した壁面調理家電収納装置のＡ−Ａ断面図である。
【図５】本願発明の壁面調理家電収納装置の一実施形態を示した斜視図である。
【図６】本願発明の壁面調理家電収納装置の一実施形態を示した斜視図である。
【図７】図６に示した壁面調理家電収納装置の側面図である。
【符号の説明】
【００３９】
１    壁面調理家電収納装置
２    壁面
３    調理家電
４    上部ユニット
５    下部ユニット
６    吸気部
７    排気部
８    蹴込み部
９ａ    第１の下部ユニット
９ｂ    第２の下部ユニット
９ｃ    第３の下部ユニット
９ｄ    第４の下部ユニット
９ｅ    第５の下部ユニット
１０    カウンター
１１    シンク
１２    調理器具
１３    側面
１４    側部ユニット
【図１】
2007259910.tif 000003
【図２】
2007259910.tif 000004
【図３】
2007259910.tif 000005
【図４】
2007259910.tif 000006
【図５】
2007259910.tif 000007
【図６】
2007259910.tif 000008
【図７】
2007259910.tif 000009